(57)【要約】【課題】画像の色調整において、階調整がよく、色再現性の良い出力物を得ることを可能にする。【解決手段】画像処理装置は、色見本に合わせた画像を印刷するプリンターを使用して、チャートを印刷し、印刷されたチャートをスキャナーで読み取ったデバイス値を取得する制御を行う制御部と、前記デバイス値を記憶する記憶部を有し、前記制御部は、前記デバイス値に基づいて、領域を設定し、設定された前記領域毎に色調整方法を変更する制御を行う。【選択図】図４
2020107940.tif 000002
【特許請求の範囲】
【請求項１】
色見本に合わせた画像を印刷するプリンターを使用して、チャートを印刷し、印刷されたチャートをスキャナーで読み取ったデバイス値を取得する制御を行う制御部と、
前記デバイス値を記憶する記憶部を有し、
前記制御部は、前記デバイス値に基づいて、領域を設定し、設定された前記領域毎に色調整方法を変更する制御を行うことを特徴とする画像処理装置。
【請求項２】
前記制御部は、予め決められた領域設定条件に基づき、少なくとも１つの領域判定を行い、前記領域を設定することを特徴とする請求項１に記載の画像処理装置。
【請求項３】
前記領域を設定するデバイス値がＲＧＢ値である請求項１または２に記載の画像処理装置。
【請求項４】
前記制御部は、前記チャートからスキャナーで取得したＲＧＢ値から、前記ＲＧＢ値が同じで前記チャートの元画像のデバイス値が異なる色を抽出し、抽出した色のＲＧＢ値の中で、Ｒ，Ｇ，Ｂ毎に最大値を抽出し、さらに、Ｒ≦最大Ｒ、且つ、Ｇ≦最大Ｇ、且つ、Ｂ≦最大ＢのＲＧＢ領域を第１領域とすることを特徴とする請求項３に記載の画像処理装置。
【請求項５】
前記チャートの元画像のデバイス値がＣＭＹＫ値であり、Ｋ値が所定の閾値％以上である色を抽出することを特徴とする請求項４に記載の画像処理装置。
【請求項６】
前記制御部は、前記第１領域を設定するときに、
前記チャートからスキャナーで取得したＲＧＢ値が同じで前記チャートの元画像のＣＭＹＫ値が異なる色の中で、Ｋ値が異なる色は除外して抽出した色のＲＧＢ値の中で、Ｒ、Ｇ、Ｂ毎に最大値を抽出する請求項４または５に記載の画像処理装置。
【請求項７】
前記制御部は、前記第１領域において、色見本をスキャナーで読み取り取得したＲＧＢ値を使用したプロファイル修正をしないことを特徴とする請求項４〜６のいずれか１項に記載の画像処理装置。
【請求項８】
前記制御部は、前記第１領域において、色見本作成時のターゲットプロファイルから予め作成された色域モデルに基づき、色見本からスキャナーで取得したＲＧＢ値から算出した色彩値を修正し、これらの修正した色彩値を使用してプロファイルを修正することを特徴とする請求項４〜６のいずれか１項に記載の画像処理装置。
【請求項９】
前記制御部は、前記色域モデルは、ターゲットプロファイルの６色相（Ｃ，Ｍ，Ｙ，Ｒ，Ｇ，Ｂ，）とＫから構成する基準点から作成し、各基準点の色彩値を使用して作成した色域モデルの基準点間の相関から、スキャナーで取得したＲＧＢ値から算出した色彩値を修正することを特徴とする請求項８に記載の画像処理装置。
【請求項１０】
前記制御部は、前記チャートからスキャナーで取得したＲＧＢ値が同じで前記チャートの元画像のデバイス値が異なる色を抽出し、前記抽出した色のＲＧＢ値の中で、Ｒ，Ｇ，Ｂ毎に最小値を抽出し、さらに、Ｒ≧最小Ｒ、且つ、Ｇ≧最小Ｇ、且つ、Ｂ≧最小ＢのＲＧＢ領域を第２領域とすることを特徴とする請求項３に記載の画像処理装置。
【請求項１１】
前記チャートの元画像のデバイス値がＣＭＹＫ値であり、Ｋ値＝０％で、Ｃ、Ｍ、Ｙ値各々が所定の閾値％以下である色を抽出する請求項１０に記載の画像処理装置。
【請求項１２】
前記制御部は、前記第２領域には、色見本をスキャナーで読み取り取得したＲＧＢ値を使用したプロファイル修正をしないことを特徴とする請求項１０または１１に記載の画像処理装置。
【請求項１３】
前記制御部は、前記第２領域において、色見本作成時のターゲットプロファイルから、予め作成された色域モデルに基づき、色見本からスキャナーで取得したＲＧＢ値から算出した色彩値を修正し、これらの修正した色彩値を使用してプロファイルを修正することを特徴とする請求項１０または１１に記載の画像処理装置。
【請求項１４】
前記制御部は、前記色域モデルは、ターゲットプロファイルの６色相（Ｃ，Ｍ，Ｙ，Ｒ，Ｇ，Ｂ，）と、白地から構成する基準点から作成し、各基準点の色彩値を使用して、作成した色域モデルの基準点間の相関から、スキャナーで取得したＲＧＢ値から算出した色彩値を修正することを特徴とする請求項１３に記載の画像処理装置。
【請求項１５】
前記制御部は、前記第１領域と前記第２領域とに該当しない領域を第３領域とする請求項４〜１４のいずれか１項に記載の画像処理装置。
【請求項１６】
前記制御部は、前記第３領域において、色見本をスキャナーで読み取り取得したＲＧＢ値を使用したプロファイル修正を行うことを特徴とする請求項１５に記載の画像処理装置。
【請求項１７】
前記制御部は、前記第１領域の中で、チャートのＣＭＹＫ値がＫ値のみ（Ｃ／Ｍ／Ｙ／Ｋ＝０／０／０／Ｋ）の色は、第１領域から除外し、第４領域とすることを特徴とする請求項１５または１６に記載の画像処理装置。
【請求項１８】
前記制御部は、前記第４領域において、
Ｋ値が異なり、且つ、スキャナーで取得したＲＧＢ値が異なるときは、スキャナーで取得したＲＧＢ値から算出した色彩値でプロファイルを修正し、
Ｋ値が異なり、且つ、スキャナーで取得したＲＧＢ値が同じときは、色見本作成時のターゲットプロファイルから、Ｋ値違い毎に色彩値を算出し、算出したＫ値違いの色彩値差の明度差ΔＬ＊を使用して、スキャナーで取得したＲＧＢ値から算出した色彩値を修正することを特徴とする請求項１７記載の画像処理装置。
【請求項１９】
前記制御部は、ユーザーインターフェース上に色調整する画像を表示し、表示画像上に前記第１領域または前記第２領域をマーキングするための選択画面をユーザーインターフェース上に設け、ユーザーインターフェース上でマーキングした色のＣＭＹＫ値の調整値を手動調整可能にする請求項４〜１４のいずれか１項に記載の画像処理装置。
【請求項２０】
色見本をスキャナーで読み取った結果に基づき、抽出した色を使用して、プロファイルを修正し、色調整を行う方法であって、
色見本に合わせた画像を印刷するプリンターを使用して、チャートを印刷し、印刷されたチャートをスキャナーで読み取ったデバイス値を取得し、前記デバイス値に基づいて、色領域を設定し、設定された前記色領域毎に色調整方法を変更することを特徴とする色調整方法。
【請求項２１】
色見本をスキャナーで読み取った結果に基づき、抽出した色を使用して、プロファイルを修正し、色調整を行う制御部で実行される色調整プログラムであって、
前記色調整プログラムは、前記制御部に対し、
色見本に合わせた画像を印刷するプリンターを使用して、チャートを印刷し、印刷されたチャートをスキャナーで読み取ったデバイス値を取得する工程と、
前記デバイス値に基づいて、色領域を設定し、設定された前記色領域毎に色調整方法を変更する工程と、を実行させることを特徴とする色調整プログラム。
【発明の詳細な説明】
【技術分野】
【０００１】
この発明は、色見本をスキャナーで読み取った結果に基づき、抽出した色を使用して、プロファイルを修正し色調整を行う画像処理装置、色調整方法および色調整プログラムに関する。
【背景技術】
【０００２】
画像形成装置で印刷を行う際には、一般にその装置で作成した出力プロファイルや予め装置に搭載されている出力プロファイルなどを用いて画像を印刷している。印刷物の色はユーザーの好みがあるので、所望の色を再現するために、更に、色調整を行う。所望の色となった印刷物を色見本として保存しておき、再印刷時には、その色見本に合わせて色調整を行う。
色見本に合わせる色調整は、色調整の熟練者が時間かけて行う大変な作業であった。そこで、近年、色見本をスキャナーで読み込み、その読み込み結果を用いて簡単に色見本に合わせる色調整方法が提案されている。
ところで、一般的には、スキャナーは明度の低い（シャドウ部）色（図１２の色域に示される第１領域の色）、または、明度の高い（ハイライト部）色（図１２の色域に示される第２領域の色）の読み取り精度が劣るため、実際には異なる色でも読み取り後は同じＲＧＢ値となり、同じ色となってしまう現象が発生する。これは、画像において、シャドウ部、または、ハイライト部が、図１７に示すように、潰れてしまう現象を招き、色再現精度が劣化する。そこで、スキャナーの読み取り精度が劣る領域を判定することが重要となる。
【０００３】
画像を読み取ったＲＧＢ値を使用して領域を判定する先行技術として、特許文献１では、画像を読み取り部によってＲＧＢ値で読み取り、読み取ったＲＧＢ値が予め定められた第１の範囲の値であれば、印刷色領域外と判定し、印刷領域内は色再現性を維持し、印刷色領域外の色は識別性を向上させる色調整方法が挙げられる。
また、他の先行技術である特許文献２では、画像読み取り装置のスキャナー処理部において、キャリブレーションスキャンが指示された場合に画像スキャンとは異なるキャリブレーション用ＬＵＴ（ルックアップテーブル）に基づき色変換を行い、シャドウ部とハイライト部の階調が線形性を有するようにしている。
【先行技術文献】
【特許文献】
【０００４】
【特許文献１】特開２０１０−２３３１７０号公報
【特許文献２】特開２０１２−１０４８８１号公報
【発明の概要】
【発明が解決しようとする課題】
【０００５】
しかし、特許文献１は、画像を読み取り部によってＲＧＢ値で読み取り、読み取ったＲＧＢ値が予め定められた第１の範囲の値であれば、印刷色領域外と判定し、印刷色領域内の色再現は維持したまま、印刷領域外の色の識別性を向上させる色調整であり、スキャナー画像読み取り部で読み取った色域で精度が劣る領域に着目して、色調整を行うことはできない。したがって、スキャナーの読み取り精度が劣る領域を読み取ったＲＧＢ値から判定し、領域毎に色調整方法を変更することにより、明度が低い（シャドウ部）色、または、明度が高い（ハイライト部）色でも、実際に異なる色は読み取り後も階調性が良く、色再現精度の良い出力物が求められている。
【０００６】
また、特許文献２では、スキャンキャリブレーションにより、シャドウ部とハイライト部の階調性を線形にする内容であり、スキャナー画像読み取り部で読み取った色域で精度が劣る領域に着目して、色調整を行うことはできない。
【０００７】
本発明は上記事情を背景としてなされたものであり、スキャナーの読み取り情報に基づいて領域を設定し、領域毎に色調整方法を変更することを目的とする。
【課題を解決するための手段】
【０００８】
本発明の画像処理装置のうち、第１の形態は、色見本に合わせた画像を印刷するプリンターを使用して、チャートを印刷し、印刷されたチャートをスキャナーで読み取ったデバイス値を取得する制御を行う制御部と、
前記デバイス値を記憶する記憶部を有し、
前記制御部は、前記デバイス値に基づいて、領域を設定し、設定された前記領域毎に色調整方法を変更する制御を行うことを特徴とする。
【０００９】
他の形態の画像処理装置の本発明は、前記形態の画像処理装置の発明において、前記制御部は、予め決められた領域設定条件に基づき、少なくとも１つの領域判定を行い、前記領域を設定することを特徴とする。
【００１０】
他の形態の画像処理装置の本発明は、前記形態の画像処理装置の発明において、前記領域を設定するデバイス値がＲＧＢ値である。
【００１１】
他の形態の画像処理装置の本発明は、前記形態の画像処理装置の発明において、前記制御部は、前記チャートからスキャナーで取得したＲＧＢ値から、前記ＲＧＢ値が同じで前記チャートの元画像のデバイス値が異なる色を抽出し、抽出した色のＲＧＢ値の中で、Ｒ，Ｇ，Ｂ毎に最大値を抽出し、さらに、Ｒ≦最大Ｒ、且つ、Ｇ≦最大Ｇ、且つ、Ｂ≦最大ＢのＲＧＢ領域を第１領域とすることを特徴とする。
【００１２】
他の形態の画像処理装置の本発明は、前記形態の画像処理装置の発明において、前記チャートの元画像のデバイス値がＣＭＹＫ値であり、Ｋ値が所定の閾値％以上である色を抽出することを特徴とする。
【００１３】
他の形態の画像処理装置の本発明は、前記形態の画像処理装置の発明において、前記制御部は、前記第１領域を設定するときに、
前記チャートからスキャナーで取得したＲＧＢ値が同じで前記チャートの元画像のＣＭＹＫ値が異なる色の中で、Ｋ値が異なる色は除外して抽出した色のＲＧＢ値の中で、Ｒ、Ｇ、Ｂ毎に最大値を抽出する。
【００１４】
他の形態の画像処理装置の本発明は、前記形態の画像処理装置の発明において、前記制御部は、前記第１領域において、色見本作成時のターゲットプロファイルから予め作成された色域モデルに基づき、色見本からスキャナーで取得したＲＧＢ値から算出した色彩値を修正し、これらの修正した色彩値を使用してプロファイルを修正することを特徴とする。
【００１５】
他の形態の画像処理装置の本発明は、前記形態の画像処理装置の発明において、前記制御部は、前記色域モデルは、ターゲットプロファイルの６色相（Ｃ，Ｍ，Ｙ，Ｒ，Ｇ，Ｂ，）とＫから構成する基準点から作成し、各基準点の色彩値を使用して作成した色域モデルの基準点間の相関から、スキャナーで取得したＲＧＢ値から算出した色彩値を修正することを特徴とする。
【００１６】
他の形態の画像処理装置の本発明は、前記形態の画像処理装置の発明において、前記制御部は、前記チャートからスキャナーで取得したＲＧＢ値が同じで前記チャートの元画像のデバイス値が異なる色を抽出し、前記抽出した色のＲＧＢ値の中で、Ｒ，Ｇ，Ｂ毎に最小値を抽出し、さらに、Ｒ≧最小Ｒ、且つ、Ｇ≧最小Ｇ、且つ、Ｂ≧最小ＢのＲＧＢ領域を第２領域とすることを特徴とする。
【００１７】
他の形態の画像処理装置の本発明は、前記形態の画像処理装置の発明において、前記チャートの元画像のデバイス値がＣＭＹＫ値であり、Ｋ値＝０％で、Ｃ、Ｍ、Ｙ値各々が所定の閾値％以下である色を抽出する。
【００１８】
他の形態の画像処理装置の本発明は、前記形態の画像処理装置の発明において、前記制御部は、前記第１領域と前記第２領域には、色見本をスキャナーで読み取り取得したＲＧＢ値を使用したプロファイル修正をしないことを特徴とする。
【００１９】
他の形態の画像処理装置の本発明は、前記形態の画像処理装置の発明において、前記制御部は、前記第２領域において、色見本作成時のターゲットプロファイルから、予め作成された色域モデルに基づき、スキャナーで取得したＲＧＢ値から算出した色彩値を修正し、これらの修正した色彩値を使用してプロファイルを修正し、これらの修正した色彩値を使用してプロファイルを修正することを特徴とする。
【００２０】
他の形態の画像処理装置の本発明は、前記形態の画像処理装置の発明において、前記制御部は、前記色域モデルは、ターゲットプロファイルの６色相（Ｃ，Ｍ，Ｙ，Ｒ，Ｇ，Ｂ，）と、白地から構成する基準点から作成し、各基準点の色彩値を使用して、作成した色域モデルの基準点間の相関から、スキャナーで取得したＲＧＢ値から算出した色彩値を修正することを特徴とする。
【００２１】
他の形態の画像処理装置の本発明は、前記形態の画像処理装置の発明において、前記制御部は、前記第１領域と前記第２領域とに該当しない領域を第３領域とする。
【００２２】
他の形態の画像処理装置の本発明は、前記形態の画像処理装置の発明において、前記制御部は、前記第３領域では、色見本をスキャナーで読み取り取得したＲＧＢ値を使用したプロファイル修正を行うことを特徴とする。
【００２３】
他の形態の画像処理装置の本発明は、前記形態の画像処理装置の発明において、前記制御部は、前記第１領域の中で、チャートのＣＭＹＫ値がＫ値のみ（Ｃ／Ｍ／Ｙ／Ｋ＝０／０／０／Ｋ）の色は、第１領域から除外し、第４領域とすることを特徴とする。
【００２４】
他の形態の画像処理装置の本発明は、前記形態の画像処理装置の発明において、前記制御部は、第４領域において、
Ｋ値が異なり、且つ、スキャナーで取得したＲＧＢ値が異なるときは、スキャナーで取得したＲＧＢ値から算出した色彩値でプロファイルを修正し、
Ｋ値が異なり、且つ、スキャナーで取得したＲＧＢ値が同じときは、色見本作成時のターゲットプロファイルから、Ｋ値違い毎に色彩値を算出し、算出したＫ値違いの色彩値差の明度差ΔＬ＊を使用して、スキャナーで取得したＲＧＢ値から算出した色彩値を修正することを特徴とする。
【００２５】
他の形態の画像処理装置の本発明は、前記形態の画像処理装置の発明において、前記制御部は、ユーザーインターフェース上に色調整する画像を表示し、表示画像上に前記第１領域または前記第２領域をマーキングするための選択画面をユーザーインターフェース上に設け、ユーザーインターフェース上でマーキングした色のＣＭＹＫ値の調整値を手動調整可能にする。
【００２６】
本発明の色調整方法は、色見本をスキャナーで読み取った結果に基づき、抽出した色を使用して、プロファイルを修正し、色調整を行う方法であって、
色見本に合わせた画像を印刷するプリンターを使用して、チャートを印刷し、印刷されたチャートをスキャナーで読み取ったデバイス値を取得し、前記デバイス値に基づいて、色領域を設定し、設定された前記色領域毎に色調整方法を変更することを特徴とする。
【００２７】
本発明の色調整プログラムは、色見本をスキャナーで読み取った結果に基づき、抽出した色を使用して、プロファイルを修正し、色調整を行う制御部で実行される色調整プログラムであって、
前記色調整プログラムは、前記制御部に対し、
色見本に合わせた画像を印刷するプリンターを使用して、チャートを印刷し、印刷されたチャートをスキャナーで読み取ったデバイス値を取得する工程と、
前記デバイス値に基づいて、色領域を設定し、設定された前記色領域毎に色調整方法を変更する工程と、を実行させることを特徴とする。
【発明の効果】
【００２８】
本発明によれば、スキャナーの読み取り情報に基づいて領域を設定し、領域毎に色調整方法を変更すること、例えば、スキャナーの読み取り精度の劣る領域を設定し、領域毎に色調整方法を変更することで、階調性が良く、色再現精度の良い出力物を得ることができる。
【図面の簡単な説明】
【００２９】
【図１】本発明の実施形態における画像処理装置を含む印刷システムの概略を示す図である。
【図２】本実施形態の画像処理装置の制御ブロックを示す図である。
【図３】同じく、画像処理装置の記憶部に格納されるデータ、プログラムを説明する図である。
【図４】本実施形態における色調整の手順を示すフローチャートである。
【図５】同じく、領域設定（第１領域、第２領域、第３領域）を行う手順を示すフローチャートである。
【図６】同じく、領域設定（第４領域）を行う手順を示すフローチャートである。
【図７】同じく、第３領域の演算を行う手順を示すフローチャートである。
【図８】同じく、第１領域の演算を行う手順を示すフローチャートである。
【図９】同じく、第２領域の演算を行う手順を示すフローチャートである。
【図１０】同じく、第４領域−１の演算を行う手順を示すフローチャートである。
【図１１】同じく、第４領域−２の演算を行う手順を示すフローチャートである。
【図１２】同じく、色域の領域を示す概略図である。
【図１３】同じく、第１領域、第２領域、第４領域の例を示す図である。
【図１４】同じく、第１領域の別の色調整方法を説明する図である。
【図１５】同じく、第２領域の別の色調整方法を説明する図である。
【図１６】同じく、第１領域または第２領域のマーキングと手動調整を行うユーザーインターフェースの操作画面の例を示す図である。
【図１７】従来の色見本に合わせた色調整を説明する図である。
【発明を実施するための形態】
【００３０】
以下に、本発明の実施形態を添付図面に基づいて説明する。
図１に、本実施形態の画像処理装置を含む印刷システム１００の構成を示す。
印刷システム１００は、プリンター２、コントローラー３、クライアントＰＣ４、スキャナー５、画像処理装置１より構成され、各構成装置は、イントラネット等の通信ネットワークを介してデータ通信可能に接続されている。
【００３１】
コントローラー３は、クライアントＰＣ４によって発行されたジョブに対して、色変換処理、ラスタライズ処理、スクリーニング処理等の演算処理を行い、ラスタデータを生成し、プリンター２へ送信する。なお、コントローラー３は、プリンターに内蔵されていてもよい。
【００３２】
プリンター２は、受信したデータの印刷処理を行い、図示しない画像形成部を備えている。
クライアントＰＣ４は、コントローラー３に印刷指示を送る。
スキャナー５は、印刷色見本やプリンター２で出力したチャートをスキャンすることに用いる。なお、スキャナー５はプリンター３に搭載されているスキャナーを用いても、インラインに配置しているスキャナーを用いてもよい。
【００３３】
画像処理装置１は、色調整のための複数のプログラムとデータを記憶している。
画像処理装置１の制御ブロックを図２に示す。
画像処理装置１は、図２に示すように、制御部１０、記憶部２０、ネットワークＩ／Ｆ部２１、表示部２２、操作部２３などで構成される。制御部１０には、ＣＰＵ１１、ＲＯＭ１２、ＲＡＭ１３を備えている。
ＲＯＭ１２は、プログラムや動作パラメータなどが格納されており、ＣＰＵ１１では、ＲＯＭ１２に格納されたプログラムが実行され、ＲＯＭ１２に格納されている動作パラメータなどが読み取られる。前記プログラムには、本実施形態の色調整プログラムが含まれている。ＲＡＭ１３は作業領域として一時的にプログラムやデータを記憶する。
【００３４】
記憶部２０は、ＨＤＤ（Hard Disk Drive）やＳＳＤ（Solid State Drive）などで構成され、ＣＰＵ３２が各部を制御するためのプログラム、自装置の処理機能に関する情報、作成又は補正したプロファイルなどを記憶する。
この実施形態では、画像処理装置１は、単独で構成されているものとして説明したが、プリンターやクライアントＰＣなどに搭載されているものであってもよく、本発明としては、設置個所は特に限定されるものではない。
【００３５】
ネットワークＩ／Ｆ部２１は、ＮＩＣ（Network Interface Card）やモデムなどで構成され、通信ネットワーク７に接続し、クライアントＰＣ２、コントローラー５、プリンター４、スキャナ−３とのデータ通信を可能にする。
【００３６】
表示部２２は、ＬＣＤ（Liquid Crystal Display）や有機ＥＬ（Electro Luminescence）ディスプレイなどであり、各種の情報を表示する。また、表示部２２はタッチパネルとして操作部の役割を兼ねてもよい。
操作部２３は、マウス、キーボード、ハードスイッチなどであり、各種操作を行う。
【００３７】
次に、記憶部２０における格納データについて図３に基づいて説明する。
記憶部２０には、スキャナー画像読み込みプログラム、領域設定プログラム、領域毎の色調整演算プログラム、プレビュー画像処理プログラム、調整パラメータ表示プログラム、ポイント色調整演算プログラム、スキャンデータ、元画像データ、チャート画像データ、色変換テーブルデータが格納されている。また、画像処理装置をクライアントＰＣから操作できるようにしてもよい。この実施形態では、上記プログラムによって本発明の色調整プログラムが構成される。
スキャンデータは、スキャナー３で読み取られたデータである。元画像データは、色見本の画像データであり、チャート画像データは、チャートを印刷するための画像データである。
色変換テーブルデータは、色変換を行うために用意されたテーブルにおけるデータである。
【００３８】
次に、色調整を行うための手順を図４のフローチャートに基づいて説明する。以下の手順は、制御部の制御によって実行することができる。
先ず、色見本をスキャナーで読み取り（ステップｓ１）、色見本画像のＲＧＢ値を取得する（ステップｓ２）。
前記スキャナーのスキャナープロファイル（ＲＧＢ→Ｌ：＊ａ＊ｂ＊）を使用して、取得したＲＧＢ値から色彩値のＬ＊ａ＊ｂ＊に変換する（ステップｓ３）。
【００３９】
色見本の元画像のＣＭＹＫ値を取得し（ステップｓ４）、元画像のＣＭＹＫ値と、スキャナーで取得したＲＧＢ値から変換したＬ＊ａ＊ｂ＊値を対応づける（ＣＭＹＫ→Ｌ＊ａ＊ｂ＊）（ステップｓ５）。
色調整をする際の条件の領域を設定する（ステップｓ６）。領域設定は、色調整後のプリントをするプリンターでチャートを出力し、出力したチャートをスキャナーで読み込むことにより設定することができる。領域設定は、以降の添付図のフローチャートにおいて詳細に説明する。
【００４０】
設定された領域条件を読み込み（ステップｓ７）、更にターゲットプロファイルを取得する（ステップｓ８）。
予め、領域毎に決められた方法で演算を行い（ステップｓ９）、その結果から修正ターゲットプロファイルを作成する（ステップｓ１０）。
修正したターゲットプロファイルとプリンタープロファイルを使用して画像を出力し、色調整後のサンプルを得て（ステップｓ１１）、手順を終了する。
ここでは、ターゲットプロファイルを修正する方法を示したが、デバイスリンクプロファイルを修正してもかまわない。
【００４１】
領域設定として、第１領域、第２領域、第３領域を設定する手順を図５のフローチャートに基づいて説明する。以下の手順は、制御部の制御によって実行することができる。
色見本に合わせた色調整後のプリントを行うプリンターでチャートを出力し（ステップｓ２０）、出力したチャートをスキャナーで読み取り（ステップｓ２１）、チャートのＲＧＢ値を取得し（ステップｓ２２）、取得したＲＧＢ値から領域設定を行う。
ここで使用するチャートは、プリンター色域を網羅しているようなチャートが好ましい。例えば、プリンタープロファイル作成用チャートなどが挙げられる。
【００４２】
前記ＲＧＢ値からチャート画像のＣＭＹＫ値を取得し（ステップｓ２３）、チャート画像のＣＭＹＫ値と、スキャナーで取得したＲＧＢ値を対応づける（ＣＭＹＫ→ＲＧＢ；ステップｓ２４）。
前記対応づけした複数色の中で、  スキャナーで取得したＲＧＢ値が同じで、チャート画像のＣＭＹＫ値が異なる色を抽出する（ステップｓ２５）。
抽出した色の中でチャート画像のＣＭＹＫ値の中のＫ値（０−１００％）が閾値％以上である色を更に抽出する（ステップｓ２６）。閾値％は、初期設定で定めておいてもよく、また、ユーザが操作部を介して変更して登録できるようにしてもよい。
【００４３】
［第１領域の設定］
Ｋ値が閾値％以上である場合（ステップｓ６、Ｙｅｓ）について説明する。
図１３では、Ｋ値の閾値＝８０％の例を挙げている。
Ｋ値の閾値を設けることにより、シャドウ部に限定することができ、スキャナー自身の読み取り精度以外の要因でＲＧＢ値が同じでＣＭＹＫ値が異なる色として、抽出されてしまった色を除去することが可能となる。
上記条件で抽出された色の中で、Ｒ，Ｇ，Ｂ各々に最大値を抽出し（ステップｓ２７）、Ｒ≦最大Ｒ  且つ、Ｇ≦最大Ｇ  且つ、Ｂ≦最大Ｂの領域を第１領域とする（ステップｓ２８）。
【００４４】
Ｋ値が閾値％以上でない場合（ステップｓ２６、Ｎｏ）、Ｋ値が閾値０％であるかを判定する（ステップｓ２９）。Ｋ値が閾値０％である場合（ステップｓ２９、Ｙｅｓ）、Ｃ、Ｍ、Ｙ値が閾値％以下であるかを判定する（ステップｓ３０）。
【００４５】
［第２領域の設定］
抽出した色の中でチャート画像のＣＭＹＫ値の中のＫ値（０−１００％）が０％であり（ステップｓ２９、Ｙｅｓ）、Ｃ，Ｍ，Ｙ値（０−１００％）が閾値％以下の色を更に抽出する（ステップｓ３０、Ｙｅｓ）。
【００４６】
図１３では、Ｃ，Ｍ，Ｙ値の閾値＝１０％以下の例を挙げている。
Ｃ，Ｍ，Ｙ値の閾値を設けることにより、ハイライト部に限定することができ、スキャナー自身の読み取り精度以外の要因でＲＧＢ値が同じでＣＭＹＫ値が異なる色として、抽出されてしまった色を除去することが可能となる。
上記条件で抽出された色の中で、Ｒ，Ｇ，Ｂ毎に最小値を抽出し（ステップｓ３１）、Ｒ≧最小Ｒ  且つ、Ｇ≧最小Ｇ  且つ、Ｂ≧最小Ｂの領域を第２領域とする（ステップｓ３２）。
【００４７】
［第３領域の設定］
ステップｓ２９で、Ｋ値が閾値０％でない場合（ステップｓ２９、Ｎｏ）、ステップｓ３０でＣ、Ｍ、Ｙ値が閾値％以下でない場合（ステップｓ３０、Ｎｏ）、第１領域と第２領域に該当しない領域であるものとして第３領域とする（ステップｓ３３）。
【００４８】
次に、第１〜第３領域以外に第４領域を設定する場合について、図６のフローチャートに基づいて説明する。以下の手順は、制御部の制御によって実行することができる。
すなわち、第１領域の中でチャート画像がＫ値のみの色（Ｃ／Ｍ／Ｙ／Ｋ＝０／０／０／Ｋ）は、第４領域とする。
【００４９】
先ず、第１領域の中で、チャートのＣＭＹＫ値がＫ値のみ（Ｃ／Ｍ／Ｙ／Ｋ＝０／０／０／Ｋ）であるかを判定する（ステップｓ４０）。チャートのＣＭＹＫ値がＫ値のみでなければ（ステップｓ４０、Ｎｏ）、第１領域とする（ステップｓ４２）。
チャートのＣＭＹＫ値がＫ値のみであれば（ステップｓ４０、Ｙｅｓ）、前記領域を第１領域から除外し、第４領域とする（ステップｓ４１）。
【００５０】
第４領域の中で、チャート画像のＫ値が異なり、且つ、スキャナーで取得したＲＧＢ値が異なるかを判定する（ステップｓ４３）。前記判定がＹｅｓの場合（ステップｓ４３、Ｙｅｓ）は、第４−１領域とする。一方、チャート画像のＫ値が異なり、且つ、スキャナーで取得したＲＧＢ値が同じ場合（ステップｓ４３、Ｎｏ）は、第４−２領域とする（ステップｓ４５）。
第４領域を設定するのは、Ｋ値のみの色が、第１領域の他の色よりも、スキャナー読み取り値から算出した色彩値の精度が良いためである。
第４領域−１は、Ｋ値のみの色で、スキャナーの読み取り精度が良い色である。一方、第４領域−２は、Ｋ値のみの色で、スキャナーの読み取り精度が劣る色である。Ｋ値のみでもスキャナーの読み取り精度の違いを検出し、読み取り精度に適した色調整をするために領域を設定する。
第４領域の設定は、Ｋ値のみの色が、第１領域の他の色よりも、スキャナー読み取り値から算出した色彩値の読み取り精度が良い場合に有効な領域設定である。これに該当しないことが予めわかっているときは、第４領域の設定を省略してもよい。
【００５１】
次に、領域ごとの演算について説明する。
先に第３領域の演算について図７のフローチャートに基づいて説明する。以下の手順は、制御部の制御によって実行することができる。
色見本をスキャナーで取得したＲＧＢ値が第３領域のとき、第３領域用の演算を行う。（第３領域の色域イメージは図１３；ステップｓ５０）。
第３領域の色は、色見本からスキャナーで取得したＲＧＢ値を使用したプロファイル修正を行う。
【００５２】
色見本をスキャナーで取得した上記色の元画像Ｃ１Ｍ１Ｙ１Ｋ１と、スキャナーで取得したＲＧＢ値からスキャナープロファイルで変換したＬ＊１  ａ＊１  ｂ＊１を読み込む（ステップｓ５１）。
ターゲットプロファイルを使用して、上記元画像Ｃ１Ｍ１Ｙ１Ｋ１をＬ＊２ａ＊２ｂ＊２に変換する（ステップｓ５２）。上記Ｌ＊１ａ＊１ｂ＊１とＬ＊２ａ＊２ｂ＊２の差分を求める（ステップｓ５３）。
【００５３】
求めた差分を用いて、ターゲットプロファイルの元画像のＣ１Ｍ１Ｙ１Ｋ１に対応した色彩値Ｌ＊ａ＊ｂ＊を修正する（ステップｓ５４）。
【００５４】
次に、第４領域の演算について図８のフローチャートに基づいて説明する。以下の手順は、制御部の制御によって実行することができる。
領域毎の演算（第１領域のとき）でシャドウ部を第４領域として演算する。
色見本をスキャナーで取得したＲＧＢ値が第１領域のとき、第１領域用の演算を行う。（第１領域の色域イメージは図１３；ステップｓ６０）。
第１領域は、色見本からスキャナーで取得したＲＧＢ値を使用したプロファイル修正をしない（ステップｓ６１）。
したがって、第１領域の色は、ターゲットプロファイルの該当する色ＣＭＹＫの色彩値Ｌ＊ａ＊ｂ＊は修正せず、そのままとする。
【００５５】
次に、第２領域の演算について図９のフローチャートに基づいて説明する。以下の手順は、制御部の制御によって実行することができる。
領域毎の演算（第２領域のとき）でハイライト部を演算する。
色見本をスキャナーで取得したＲＧＢ値が第２領域のとき、第２領域用の演算を行う。（ステップｓ７０；第２領域の色域イメージは図１２）。
第２領域は、色見本からスキャナーで取得したＲＧＢ値を使用したプロファイル修正をしない（ステップｓ７１）。
したがって、第２領域の色は、ターゲットプロファイルの該当する色ＣＭＹＫの色彩値Ｌ＊ａ＊ｂ＊は修正せず、そのままとする。
【００５６】
次に、第４領域−１の演算について図１０のフローチャートに基づいて説明する。以下の手順は、制御部の制御によって実行することができる。
領域毎の演算（第４領域−１のとき）で元画像の色がＫ値のみの場合に演算する。
第４領域−１の色は、第４領域の中で元画像の色がＫ値のみで、スキャナープロファイルの読み取り精度が良いＫ値で、第１領域に囲まれた領域（シャドウ部）である（ステップｓ８０；第４領域の色域イメージは図１２）。
色見本をスキャナーで取得したＲＧＢ値が第４領域−１のとき、第４領域−１用の演算を行う（第４領域の色域イメージは図１３）。
【００５７】
第４領域−１の色は、色見本からスキャナーで取得したＲＧＢ値（ステップｓ８０）を使用したプロファイル修正を行う。
色見本をスキャナーで取得した上記色の元画像Ｃ１Ｍ１Ｙ１Ｋ１と、スキャナーで取得したＲＧＢ値からスキャナープロファイルで変換したＬ＊１ａ＊１ｂ＊１を読み込む（ステップｓ８１）。
ターゲットプロファイルを使用して、上記元画像Ｃ１Ｍ１Ｙ１Ｋ１をＬ＊２ａ＊２ｂ＊２に変換する（ステップｓ８２）。次に、上記Ｌ＊１ａ＊１ｂ＊１とＬ＊２ａ＊２ｂ＊２の差分を求める（ステップｓ８３）。
求めた差分を用いて、ターゲットプロファイルの元画像のＣ１Ｍ１Ｙ１Ｋ１に対応した色彩値Ｌ＊ａ＊ｂ＊を修正する（ステップｓ８４）。
【００５８】
次に、第４領域−２の演算について図１１のフローチャートに基づいて説明する。以下の手順は、制御部の制御によって実行することができる。
領域毎の演算（第４領域−２のとき）は元画像１の色がＫ値のみの場合である。
第４領域−２の色は、第４領域の中で元画像の色がＫ値のみで、スキャナープロプロファイルの読み取り精度が劣るＫ値で、第１領域に囲まれた領域（シャドウ部）である（第４領域の色域イメージは図１２）。
【００５９】
ターゲットプロファイルから、Ｋ値違い毎に色彩値Ｌ＊ａ＊ｂ＊を算出する。算出したＫ値違いの明度差ΔＬ＊を求める。求めた明度差ΔＬ＊使用して、スキャナーで取得したＲＧＢ値から算出した色彩値Ｌ＊ａ＊ｂ＊を修正する。具体的には、Ｋ値違いの２つの色Ｋ１，Ｋ２のスキャナーで取得したＲＧＢ値から算出した色彩値Ｌ＊ａ＊ｂ＊を上記ターゲットプロファイルから求めた明度差Δ  Ｌ＊になるように色彩値を修正する。
【００６０】
具体的には、色見本をスキャナーで取得した色が第４領域−２であり（ステップｓ９０）、上記色の元画像１のＣ／Ｍ／Ｙ／Ｋ＝０／０／０／Ｋ１と、上記元画像２のＣ／Ｍ／Ｙ／Ｋ＝０／０／０／Ｋ２と、元画像１と元画像２に相当する画像部のスキャナー読み取り結果が同じであったＲＧＢ値からスキャナープロファイルで変換したＬ＊ｓａ＊ｓｂ＊ｓを読み込む（ステップｓ９１）。
次に、ターゲットプロファイルを使用して、上記元画像１と元画像２各々をＬ＊ａ＊ｂ＊に変換する（ステップｓ９２）。すなわち、Ｃ／Ｍ／Ｙ／Ｋ＝０／０／０／Ｋ１→Ｌ＊１ａ＊１ｂ＊１、Ｃ／Ｍ／Ｙ／Ｋ＝０／０／０／Ｋ２→Ｌ＊２ａ＊２ｂ＊２に変換する。
【００６１】
上記ターゲットプロファイルから算出したＫ１とＫ２の色彩値の明度差ΔＬ＊を求める（ステップｓ９３）。
上記で求めた明度差ΔＬ＊を用いて、上記スキャナープロファイルで求めたＬ＊ｓａ＊ｓｂ＊ｓを修正し、ターゲットプロファイルのＬ＊ａ＊ｂを修正する（ステップｓ９４）。
次に、上記で修正したＬ＊ｓａ＊ｓｂ＊ｂ＊ｓを使用して、ターゲットプロファイルのＬ＊ａ＊ｂ＊を修正する。
【００６２】
図１２は、今までに説明した色域の領域設定のイメージを示すものであり、色域を第１領域、第２領域、第３領域、第４領域で区分して示されている。
この実施形態では、
第１領域：シャドウ部
第２領域：ハイライト部
第４領域：第１領域の中の元画像がＫ値のみ
第３領域：上記以外の領域
で示されている。
【００６３】
図１３は、第１領域と第４領域、及び第２領域の例を示すものであり、スキャン読み取りのＲＧＢおよび閾値のＫ％、スキャナープロファイル、ターゲットプロファイル、修正したプロファイルなどが示されている。
【００６４】
図１４は、第１領域の別の色調整方法を説明する図である。
色調整は、色域モデルを使用して修正する。
色見本作成時に使用したターゲットプロファイルから、６色相とＫで構成する基準点で色域モデルを作成する。各基準点の色彩値を使用して、作成した色域モデルの基準点間の相関から、スキャナーで取得したＲＧＢ値からスキャナープロプロファイルで算出した色彩値を修正する。ここでは基準点の具体例を図に示している。
【００６５】
図１５は、第２領域の別の色調整方法を説明する図である。
色調整は、色域モデルを使用して修正する。
色見本作成時に使用したターゲットプロファイルから、６色相と白地で構成する基準点で色域モデルを作成する。各基準点の色彩値を使用して、作成した色域モデルの基準点間の相関から、スキャナーで取得したＲＧＢ値からスキャナープロプロファイルで算出した色彩値を修正する。ここでは基準点の具体例を図に示している。
【００６６】
次に、第１領域または第２領域に対するマーキングと手動調整を行うユーザーインターフェースの操作画面２００を図１６に示す。
操作画面２００では、画像処理装置１で修正されたプロファイルを使用して、色変換された画像のプレビュー画像２１１を表示する。左側は、色調整前のプレビュー画像２１０を示すものである。
【００６７】
色調整するプレビュー画像２１０を表示し、第１領域または第２領域をサムネイル画像上にマーキングするための調整画面を設ける。ここでは、調整画面としてチェックボックス２２０、２２１の例を挙げている。チェックするとサムネイル画像上に該当する領域がマーキングされる。マーキングカラーは、画像上で判別しやすいように任意に設定できるようにしてもよい。マーキングカラーは、画面上でマーキングカラー２３０、２３１として表示される。
【００６８】
色調整を手動で更に行うときに、ポイントカラー調整を行う。
ポイントカラー調整は、スポイトツールアイコンを押下し、スポイントツールで左側のポイント色調整前の画像上で調整点を指定する。
指定した色が調整点（ＣＭＹＫ）として右上のエリア２４０に表示される。リセット釦２４２または全リセット釦２４２によって、調整点をリセットすることができる。
【００６９】
上記エリアの調整点を指定し、出力値調整エリアのＣＭＹＫの加算値に数値入力欄２５１で数値入力、または上下ボタン２５２で数値を選択し、調整後のＣＭＹＫ値が数値欄２５３に表示される  。
ポイント色調整する色を追加したいときは、調整点エリアにある＋釦２４３を押下する。
調整点を選択してリセット釦２４１を押下、または、ゴミ箱アイコン２４５を押下すると選択した調整点がリセットされる。全リセット釦２４２を押下すると全ての調整点がリセットされる
【００７０】
影響範囲欄２５０では、ポイントカラー調整した色の周囲の色への影響範囲を設定する。これはトーンジャンプを防ぐために設定する。
右下のビュー更新釦２６０をクリックすると、設定した調整値での調整後の右側のプレビュー画像２１１を更新する。
【００７１】
すなわち、本実施形態によれば、色見本と出力したプロファイル作成用チャートをスキャナーで読み取り、前記チャートをスキャナーで読み取ったデバイス値から領域を設定し、領域毎に色調整方法を変更することにより、色見本の色の明度が低い（シャドウ部）色、または、明度が高い（ハイライト部）色でも、階調性が良く、色見本に対し色再現精度の良い出力物を得ることができる。
【００７２】
以上、本発明について、上記実施形態に基づいて説明を行ったが、本発明は、上記実施形態の説明に限定されるものではなく、本発明の範囲を逸脱しない限りは本実施形態に対する適宜の変更が可能である。
【符号の説明】
【００７３】
１  画像処理装置
２  プリンター
３  コントローラー
４  クライアントＰＣ
５  スキャナー
６  通信ネットワーク
１０  制御部
２０  記憶部
２１  ネットワークＩ／Ｆ部
２２  表示部
２３  操作部
２００  操作画面
２１０  プレビュー画像
２１１  プレビュー画像
２６０  ビュー更新釦
【図１】
2020107940.tif 000003
【図２】
2020107940.tif 000004
【図３】
2020107940.tif 000005
【図４】
2020107940.tif 000006
【図５】
2020107940.tif 000007
【図６】
2020107940.tif 000008
【図７】
2020107940.tif 000009
【図８】
2020107940.tif 000010
【図９】
2020107940.tif 000011
【図１０】
2020107940.tif 000012
【図１１】
2020107940.tif 000013
【図１２】
2020107940.tif 000014
【図１３】
2020107940.tif 000015
【図１４】
2020107940.tif 000016
【図１５】
2020107940.tif 000017
【図１６】
2020107940.tif 000018
【図１７】
2020107940.tif 000019